(57)【要約】  通信装置は、第一の装置との通信接続と、第二の装置との通信接続と、のいずれかを行う通信部と、前記通信部を制御する制御部と、を備え、前記制御部は、所定の動作モードであり、かつ、前記第二の装置との通信接続から前記第一の装置との通信接続に切り替える場合には前記第二の装置との通信接続を切断する前に前記第二の装置に所定の通知を行い、その他の場合には前記所定の通知を行わない。
2018229815.tif 000002
【特許請求の範囲】
【請求項１】
第一の装置との通信接続と、第二の装置との通信接続と、のいずれかを行う通信部と、
前記通信部を制御する制御部と、
を備え、
前記制御部は、所定の動作モードであり、かつ、前記第二の装置との通信接続から前記第一の装置との通信接続に切り替える場合には前記第二の装置との通信接続を切断する前に前記第二の装置に所定の通知を行い、その他の場合には前記所定の通知を行わない
ことを特徴とする通信装置。
【請求項２】
操作入力を受け付ける入力部
を備え、
前記制御部は、前記所定の動作モードである場合、前記操作入力に基づいて、前記第一の装置との通信接続と、前記第二の装置との通信接続と、の切り替えを行う
ことを特徴とする請求項１に記載の通信装置。
【請求項３】
ユーザの顔または視線の方向を検出する検出部
を備え、
前記制御部は、前記所定の動作モードである場合、前記検出部によって検出された前記ユーザの顔または視線が自己の通信装置の方向へ向いていることを検出したときには前記第一の装置との通信接続に切り替え、前記検出部によって検出された前記ユーザの顔または視線が自己の通信装置の方向へ向いていないことを検出したときには前記第二の装置との通信接続に切り替える
ことを特徴とする請求項１に記載の通信装置。
【請求項４】
前記第二の装置は、
通信接続を行う第二の通信部と、
少なくとも前記通信装置との通信接続が行われていない場合であって、所定の条件が満たされたときに、前記通信装置との通信接続に用いられる接続設定情報を変更する第二の制御部と、
を備え、
前記第二の制御部は、前記第二の通信部が前記所定の通知を取得した場合、前記所定の条件にかかわらず前記接続設定情報を変更しない
ことを特徴とする請求項１から請求項３のうちいずれか一項に記載の通信装置。
【請求項５】
前記接続設定情報を記憶する記憶部をさらに有し、
前記通信部は、前記記憶部に記憶された前記接続設定情報を用いて前記第二の装置との通信接続を行う
ことを特徴とする請求項４に記載の通信装置。
【請求項６】
外部装置との通信接続を行う通信部と、
少なくとも前記外部装置との通信接続がされていない場合に、前記外部装置との通信接続に用いられる接続設定情報を変更する制御部と、
を備え、
前記制御部は、前記通信部が前記外部装置から所定の通知を取得した場合、前記外部装置との通信接続が行われていなくても前記接続設定情報を変更せず、または前記接続設定情報が変更されるまでの時間を長くする
ことを特徴とする通信装置。
【請求項７】
少なくとも通信装置と、第一の装置と、第二の装置と、を有する通信システムであって、
前記通信装置は、
前記第一の装置との通信接続と、前記第二の装置との通信接続と、のいずれかを行う通信部と、
前記通信部を制御する制御部と、
を備え、
前記制御部は、所定の動作モードである場合であって、かつ、前記第二の装置との通信接続から前記第一の装置との通信接続に切り替える場合には前記第二の装置との通信接続を切断する前に前記第二の装置に所定の通知を行い、その他の場合には前記所定の通知を行わず、
前記第一の装置は、
通信接続を行う第一の通信部
を備え、
前記第二の装置は、
通信接続を行う第二の通信部と、
少なくとも前記通信装置との通信接続が行われていない場合であって、所定の条件が満たされたときに、前記通信装置との通信接続に用いられる接続設定情報を変更する第二の制御部と、
を備え、
前記第二の制御部は、前記第二の通信部が前記所定の通知を取得した場合、前記所定の条件にかかわらず前記接続設定情報を変更しない
ことを特徴とする通信システム。
【請求項８】
第一の装置との通信接続と、第二の装置との通信接続と、のいずれかを行う通信ステップと、
所定の動作モードであり、かつ、前記第二の装置との通信接続から前記第一の装置との通信接続に切り替える場合には前記第二の装置との通信接続を切断する前に前記第二の装置に所定の通知を行い、その他の場合には前記所定の通知を行わない制御ステップと、
を有することを特徴とする通信方法。
【請求項９】
コンピュータに、
第一の装置との通信接続と、第二の装置との通信接続と、のいずれかを行う通信ステップと、
前記通信ステップを制御する第１制御ステップと、
前記第１制御ステップにおいて、所定の動作モードであり、かつ、前記第二の装置との通信接続から前記第一の装置との通信接続に切り替える場合には前記第二の装置との通信接続を切断する前に前記第二の装置に所定の通知を行い、その他の場合には前記所定の通知を行わない第２制御ステップと、
を実行させるための通信プログラム。
【請求項１０】
外部装置との通信接続を行う通信ステップと、
少なくとも前記外部装置との通信接続がされていない場合に、前記外部装置との通信接続に用いられる接続設定情報を変更する第１制御ステップと、
前記外部装置から所定の通知を取得した場合、前記外部装置との通信接続が行われていなくても前記接続設定情報を変更せず、または前記接続設定情報が変更されるまでの時間を長くする第２制御ステップと、
を有することを特徴とする通信方法。
【発明の詳細な説明】
【技術分野】
【０００１】
本発明は、通信装置、通信システム、通信方法、および通信プログラムに関する。
【背景技術】
【０００２】
映像データを送信することができる送信装置（例えば、パーソナルコンピュータなど）が、映像データを取得して映像を表示することができる表示装置（例えば、プロジェクタなど）に対して映像データを送信することにより、例えば、ユーザは、送信装置のディスプレイに表示されている画面を、より大きなディスプレイを備える表示装置によって拡大して表示させることができる。これによって、より多くのユーザがその画面を共有することができる。【０００３】
このようなプロジェクタなどの表示装置に対して、無線ＬＡＮ（Ｌｏｃａｌ  Ａｒｅａ  Ｎｅｔｗｏｒｋ；構内通信網）を介して映像データを送信する技術がある。こうした技術においては、表示装置が、映像データを受信する受信機能を自ら備えているか、あるいは、受信機能を備える受信装置と通信接続されていることにより、パーソナルコンピュータなどの送信装置が、無線ＬＡＮのルータなどを介さなくても、受信機能を備える表示装置あるいは受信装置（以下、「無線表示システム」と総称する）と、直接、通信接続することができる。【０００４】
送信装置は、無線ＬＡＮによって、インターネットや社内ネットワークなどの他の通信ネットワーク（以下、「既存ネットワーク」と称する）に通信接続している場合において、当該無線ＬＡＮにより、無線表示システムと通信接続するためには、無線ＬＡＮの接続設定を変更しなければならない。無線ＬＡＮの接続設定が変更されることにより、送信装置は、無線表示システムと通信接続をしている間は既存ネットワークと通信接続することができなくなる。これにより、ユーザは、それまで使用していた既存ネットワーク上のリソース（例えば、インターネット上に公開されている情報や、社内ネットワーク上で提供されているサービスなど）を利用することができなくなる。また、ユーザが、再び既存ネットワーク上のリソースを利用するためには、送信装置が既存ネットワークと再び通信接続するように無線ＬＡＮの接続設定を切り替えなければならない。これに対し、例えば、特許文献１には、使用する無線通信網を切り替えるための技術が開示されている。
【先行技術文献】
【特許文献】
【０００５】
【特許文献１】特開２００２−３１１９３３号公報
【発明の概要】
【発明が解決しようとする課題】
【０００６】
ところで、一般的に、無線表示システムに同時に通信接続することができる送信装置の台数には限りがある。そのため、例えば、大勢のユーザが集まる会議室などに設置されているような無線表示システムには、同時に通信接続することができる送信装置の台数よりも多くの送信装置から通信接続の要求がなされることが想定されるため、無線ＬＡＮの接続設定を一定時間ごとに自動的に変更するような機能が備わっていることがある。この場合、例えば、インターネットなどの既存ネットワークへ通信接続するために一時的にユーザが送信装置の無線ＬＡＮの接続設定を切り替えている間に、無線表示システムの無線ＬＡＮの接続設定が自動的に変更されてしまうことがあるため、ユーザが無線表示システムに再び映像を表示させるためには、再び無線ＬＡＮの接続設定を行わなければならないという課題がある。【０００７】
上述の課題を鑑み、本発明は、無線表示システムへの通信接続と既存ネットワークへの通信接続との間における通信接続の切り替えを簡単に行うことができる通信装置、通信システム、通信方法、および通信プログラムを提供することを目的とする。
【課題を解決するための手段】
【０００８】
上述の課題を解決するために、本発明の一態様に係る通信装置は、第一の装置との通信接続と、第二の装置との通信接続と、のいずれかを行う通信部と、前記通信部を制御する制御部と、を備え、前記制御部は、所定の動作モードであり、かつ、前記第二の装置との通信接続から前記第一の装置との通信接続に切り替える場合には前記第二の装置との通信接続を切断する前に前記第二の装置に所定の通知を行い、その他の場合には前記所定の通知を行わないことを特徴とする。【０００９】
また、本発明の一態様に係る通信装置は、外部装置との通信接続を行う通信部と、少なくとも前記外部装置との通信接続がされていない場合に、前記外部装置との通信接続に用いられる接続設定情報を変更する制御部と、を備え、前記制御部は、前記通信部が前記外部装置から所定の通知を取得した場合、前記外部装置との通信接続が行われていなくても前記接続設定情報を変更せず、または前記接続設定情報が変更されるまでの時間を長くすることを特徴とする。【００１０】
また、本発明の一態様に係る通信システムは、少なくとも通信装置と、第一の装置と、第二の装置と、を有する通信システムであって、前記通信装置は、前記第一の装置との通信接続と、前記第二の装置との通信接続と、のいずれかを行う通信部と、前記通信部を制御する制御部と、を備え、前記制御部は、所定の動作モードである場合であって、かつ、前記第二の装置との通信接続から前記第一の装置との通信接続に切り替える場合には前記第二の装置との通信接続を切断する前に前記第二の装置に所定の通知を行い、その他の場合には前記所定の通知を行わず、前記第一の装置は、通信接続を行う第一の通信部を備え、前記第二の装置は、通信接続を行う第二の通信部と、少なくとも前記通信装置との通信接続が行われていない場合であって、所定の条件が満たされたときに、前記通信装置との通信接続に用いられる接続設定情報を変更する第二の制御部と、を備え、前記第二の制御部は、前記第二の通信部が前記所定の通知を取得した場合、前記所定の条件にかかわらず前記接続設定情報を変更しないことを特徴とする。【００１１】
また、本発明の一態様に係る通信方法は、第一の装置との通信接続と、第二の装置との通信接続と、のいずれかを行う通信ステップと、所定の動作モードであり、かつ、前記第二の装置との通信接続から前記第一の装置との通信接続に切り替える場合には前記第二の装置との通信接続を切断する前に前記第二の装置に所定の通知を行い、その他の場合には前記所定の通知を行わない制御ステップと、を有することを特徴とする。【００１２】
また、本発明の一態様に係る通信プログラムは、コンピュータに、第一の装置との通信接続と、第二の装置との通信接続と、のいずれかを行う通信ステップと、前記通信ステップを制御する第１制御ステップと、前記第１制御ステップにおいて、所定の動作モードであり、かつ、前記第二の装置との通信接続から前記第一の装置との通信接続に切り替える場合には前記第二の装置との通信接続を切断する前に前記第二の装置に所定の通知を行い、その他の場合には前記所定の通知を行わない第２制御ステップと、を実行させることを特徴とする。【００１３】
また、本発明の一態様に係る通信方法は、外部装置との通信接続を行う通信ステップと、少なくとも前記外部装置との通信接続がされていない場合に、前記外部装置との通信接続に用いられる接続設定情報を変更する第１制御ステップと、前記外部装置から所定の通知を取得した場合、前記外部装置との通信接続が行われていなくても前記接続設定情報を変更せず、または前記接続設定情報が変更されるまでの時間を長くする第２制御ステップと、を有することを特徴とする。
【発明の効果】
【００１４】
本発明によれば、受信機能を備える表示装置あるいは受信装置への通信接続と既存ネットワークへの通信接続との間における通信接続の切り替えを簡単に行うことができる。
【図面の簡単な説明】
【００１５】
【図１】本発明の第１の実施形態に係る映像表示システムによる通信接続の切り替えの概要を示す概略図である。
【図２】本発明の第１の実施形態に係る送信装置の機能構成を示すブロック図である。
【図３】本発明の第１の実施形態に係る受信装置の機能構成を示すブロック図である。
【図４】本発明の第１の実施形態に係る送信装置の動作を示すフローチャートである。
【図５】本発明の第１の実施形態に係る受信装置の動作を示すフローチャートである。
【図６】本発明の第２の実施形態に係る送信装置の機能構成を示すブロック図である。
【発明を実施するための形態】
【００１６】
以下、発明の実施の形態を通じて本発明について説明するが、以下の実施形態は特許請求の範囲に係る発明を限定するものではない。また、以下の実施形態の中で説明されている特徴の組み合わせの全てが発明の解決手段として必須であるとは限らない。なお、図面において、同一または類似の部分には同一の符号を付して、重複する説明を省く場合がある。また、図面における要素の形状および大きさなどは、より明確な説明のために誇張されることがある。
【００１７】
＜第１の実施形態＞
以下、本発明の第１の実施形態について説明する。
【００１８】
［通知接続の切り替え処理］
以下、本実施形態に係る映像表示システム１による通信接続の切り替え処理について、図面を参照しながら説明する。
図１は、本発明の第１の実施形態に係る映像表示システム１による通信接続の切り替えの概要を示す概略図である。
【００１９】
図１（Ａ）および図１（Ｂ）は、本実施形態に係る映像表示システム１による通信接続の状態の一例をそれぞれ示している。図１（Ａ）および図１（Ｂ）に図示するように、映像表示システム１は、送信装置１０と、受信装置２０と、表示装置２１と、アクセスポイント３０と、を含んで構成される。
【００２０】
送信装置１０は、無線ＬＡＮｎ１を介して、既存ネットワークｎ１０へ通信接続するためのアクセスポイントであるアクセスポイント３０と通信接続することができる（図１（Ａ）を参照）。
送信装置１０は、既存ネットワークｎ１０と通信接続し、既存ネットワークｎ１０上で提供されているリソースを利用することができるコンピュータ装置である。送信装置１０は、例えば、パーソナルコンピュータ、または、タブレット型の携帯情報端末などを含んで構成される。
アクセスポイント３０は、例えば、無線ＬＡＮルータを含んで構成される。
既存ネットワークｎ１０は、例えば、インターネット、または社内ネットワークなどを含んで構成される。
【００２１】
また、送信装置１０は、無線ＬＡＮｎ２を介して、受信装置２０と通信接続することができる（図１（Ｂ）を参照）。
送信装置１０は、受信装置２０と通信接続し、当該受信装置２０に対して映像データを送信する。
【００２２】
受信装置２０は、表示装置２１と通信線ｎ２０を介して通信接続されている。通信線ｎ２０は、例えば、映像ケーブルなどを含んで構成される。
受信装置２０は、無線ＬＡＮｎ２を介して、送信装置１０と通信接続し、当該送信装置１０から映像データを受信する。受信装置２０は、受信した映像データを、通信線ｎ２０を介して表示装置２１に対して出力する。
表示装置２１は、受信装置２０から映像データが入力されると、当該映像データに基づく映像を表示する。表示装置２１は、プロジェクタ（例えば、ＣＲＴ（Ｃａｔｈｏｄｅ  Ｒａｙ  Ｔｕｂｅ；陰極線管）プロジェクタ、または、液晶プロジェクタ）、または、ディスプレイ装置（例えば、液晶ディスプレイ（ＬＣＤ；Ｌｉｑｕｉｄ  Ｃｒｙｓｔａｌ  Ｄｉｓｐｌａｙ）、有機ＥＬ（Ｏｒｇａｎｉｃ  Ｅｌｅｃｔｒｏｌｕｍｉｎｅｓｃｅｎｃｅ；エレクトロルミネッセンス）ディスプレイ、またはＣＲＴ）などを含んで構成される。
【００２３】
なお、本実施形態においては、受信装置２０と表示装置２１とが別個の装置であるものとしたが、この構成に限られるものではない。例えば、表示装置２１が、無線ＬＡＮｎ２を介して送信装置１０と通信接続して、当該送信装置１０から映像データを受信する受信機能を自ら備えるような装置、すなわち、受信装置２０と表示装置２１とが一体化された装置であっても構わない。
【００２４】
図１（Ａ）および図１（Ｂ）に図示するように、アクセスポイント３０における無線ＬＡＮ設定は、ＳＳＩＤ（Ｓｅｒｖｉｃｅ  Ｓｅｔ  Ｉｄｅｎｔｉｆｉｅｒ；サービスセット識別子）が「ｓｓｉｄ−ｇｌｏｂａｌｙｙｙ」であり、ｋｅｙ（セキュリティキー）が「ｙｙｙｙｙｙｙｙ」である。また、受信装置２０における無線ＬＡＮ設定は、ＳＳＩＤが「ｓｓｉｄ−ｌｏｃａｌｘｘｘ」であり、ｋｅｙが「ｘｘｘｘｘｘｘｘ」である。
【００２５】
図示するように、図１（Ａ）においては、送信装置１０は、ＳＳＩＤを「ｓｓｉｄ−ｇｌｏｂａｌｙｙｙ」とし、ｋｅｙを「ｙｙｙｙｙｙｙｙ」とするように無線ＬＡＮ設定を行うことにより、無線ＬＡＮｎ１を介してアクセスポイント３０と通信接続している。次に、送信装置１０は、図１（Ｂ）に図示するように、ＳＳＩＤが「ｓｓｉｄ−ｌｏｃａｌｘｘｘ」であり、ｋｅｙが「ｘｘｘｘｘｘｘｘ」とするように無線ＬＡＮ設定を変更することによって、無線ＬＡＮｎ２を介して受信装置２０と通信接続するように、通信接続が切り替えられる。
【００２６】
［送信装置の機能構成］
以下、本実施形態に係る送信装置１０の機能構成について、図面を参照しながら説明する。
図２は、本発明の第１の実施形態に係る送信装置１０の機能構成を示すブロック図である。図示するように、送信装置１０（通信装置）は、通信部１０１と、記憶部１０２と、制御部１０３と、入力部１０４と、を含んで構成される。
【００２７】
通信部１０１（第一の通信部）は、無線ＬＡＮｎ１を介した既存ネットワークｎ１０のアクセスポイントであるアクセスポイント３０（第一の装置）への通信接続、または、通信部１０１（第一の通信部）は、無線ＬＡＮｎ２を介した通信線ｎ２０のアクセスポイントである受信装置２０（第二の装置）への通信接続、のいずれかの通信接続を行う。
【００２８】
なお、通信線ｎ２０のアクセスポイントである受信装置２０は、当該受信装置２０への通信接続がなされていない間に、通信部１０１が当該受信装置２０へ通信接続するために用いられる、ＳＳＩＤやセキュリティキーなどの無線ＬＡＮ設定（接続設定情報）を変更させることがある。
【００２９】
記憶部１０２は、送信装置１０によって行われる各種の処理において用いられるプログラムやデータ等を記憶する。また、記憶部１０２は、送信装置１０によって行われる各種の処理において一時的に使用される一時記憶領域としても用いられる。記憶部１０２は、記憶媒体、例えば、ＨＤＤ（Ｈａｒｄ  Ｄｉｓｋ  Ｄｒｉｖｅ；ハードディスクドライブ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ；イーイーピーロム）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、ＲＯＭ（Ｒｅａｄ  Ｏｎｌｙ  Ｍｅｍｏｒｙ；読み出し専用メモリ）、またはこれらの記憶媒体の任意の組み合わせによって構成される。
【００３０】
また、記憶部１０２は、無線ＬＡＮｎ２を介した通信線ｎ２０のアクセスポイントである受信装置２０への通信接続に用いられる無線ＬＡＮ設定（接続設定情報）を記憶する。
【００３１】
制御部１０３は、送信装置１０の各機能ブロックを制御する。制御部１０３は、記憶部１０２に記憶されている制御プログラムや制御データに基づいて、送信装置１０における各種の処理を実行する。制御部１０３は、例えば、ＣＰＵ（Ｃｅｎｔｒａｌ  Ｐｒｏｃｅｓｓｉｎｇ  Ｕｎｉｔ；中央演算処理装置）を含んで構成される。
また、制御部１０３は、接続先切替部１０３１と、書込部１０３２と、通知部１０３３と、モード切替部１０３４と、を含んで構成される。
【００３２】
接続先切替部１０３１は、既存ネットワークｎ１０のアクセスポイントであるアクセスポイント３０への通信接続と、通信線ｎ２０のアクセスポイントである受信装置２０への通信接続と、の切り替えを行う。
書込部１０３２は、通信部１０１が、通信線ｎ２０のアクセスポイントである受信装置２０への通信接続を行う場合、当該受信装置２０への通信接続における無線ＬＡＮ設定（接続設定情報）を記憶部１０２に書き込む。
【００３３】
通知部１０３３は、簡単切り替えモードに設定されている場合において、通信線ｎ２０のアクセスポイントである受信装置２０（第二の装置）から既存ネットワークｎ１０のアクセスポイントであるアクセスポイント３０（第一の装置）へ通信接続を切り替える場合、受信装置２０との通信接続を切断する前に、当該受信装置２０に対し、一時的に受信装置２０への通信接続を切断することを示す一時切断通知（所定の通知）を、通信部１０１を介して送信する。なお、通知部１０３３は、その他の場合には上記の一時切断通知（所定の通知）を送信しない。
【００３４】
なお、簡単切り替えモードとは、接続先切替部１０３１が、記憶部１０２に記憶された無線ＬＡＮ設定（接続設定情報）を用いて無線ＬＡＮｎ２を介した受信装置２０への通信接続を行うモードである。簡単切り替えモードへの移行は、例えば、ユーザによる操作入力に基づく入力部１０４からの入力情報に応じて行われる。例えば、ユーザは、マウスやキーボードによりアプリケーションソフトウェア上のボタンによって、簡単切り替えモード（所定の動作モード）へ移行させることができる。
なお、簡単切り替えモードでない場合（通常接続モードである場合）には、ユーザの操作入力に基づいて、再度、無線ＬＡＮ設定がなされることにより、受信装置２０への通信接続が行われる。
【００３５】
また、接続先切替部１０３１は、簡単切り替えモード（所定の動作モード）に設定されている場合において、既存ネットワークｎ１０のアクセスポイントであるアクセスポイント３０から通信線ｎ２０のアクセスポイントである受信装置２０へ通信接続を切り替える場合、記憶部１０２に記憶された無線ＬＡＮ設定（接続設定情報）を用いて当該受信装置２０へ通信接続する。
【００３６】
モード切替部１０３４は、書込部１０３２によって記憶部１０２に書き込まれた無線ＬＡＮ設定（接続設定情報）を用いて通信線ｎ２０のアクセスポイントである受信装置２０へ通信接続させる動作モードである上記の簡単切り替えモードと、当該受信装置２０において無線ＬＡＮ設定が変更されることに応じて当該変更された後の無線ＬＡＮ設定を用いて当該受信装置２０へ通信接続させる動作モードである通常接続モードと、を外部からの指示に応じて切り替える。なお、外部からの指示とは、例えば、キーボードやマウスなどによるユーザの操作入力に基づいて入力部１０４から入力される入力情報である。
なお、制御部１０３は、モード切替部１０３４による切り替えに応じたモード（簡単切り替えモード、または通常接続モード）によって通信部１０１に通信接続させる。
【００３７】
入力部１０４は、ユーザからの操作入力（例えば、通信接続するネットワークの切り替えを指示するための操作入力など）を受け付ける。なお、制御部１０３は、簡単切り替えモード（所定の動作モード）に設定されている場合において、入力部１０４が受け付けた操作入力を示す入力情報に基づいて、既存ネットワークｎ１０のアクセスポイントであるアクセスポイント３０（第一の装置）と、通信線ｎ２０のアクセスポイントである受信装置２０（第二の装置）と、の通信接続の切り替えを行う。
【００３８】
入力部１０４は、ユーザからの操作入力を受け付けることができる部材、例えば、キーボード、またはタッチパネルなどを含んで構成される。なお、入力部１０４には、入力ボタン、マウス、ポインティングデバイス、またはマイクなどが更に含まれていてもよい。
【００３９】
なお、送信装置１０が表示部（図示せず）を備え、入力部１０４と表示部とが、入出力機能を有する１つの部材、例えば、タッチパネルなどによって構成されていても構わない。この場合、表示部は、送信装置１０を使用するユーザに対して提示される各種の情報を表示する。
【００４０】
なお、入力部１０４は、外部の入力装置（例えば、キーボードやタッチパネルなど）に接続することによって、ユーザからの操作入力を受け付けるための入力インターフェースであってもよい。また、表示部は、外部の入力装置（例えば、液晶ディスプレイなど）に接続することによって、送信装置１０を使用するユーザに対して提示される各種の情報を出力するための出力インターフェースであってもよい。
【００４１】
［受信装置の機能構成］
以下、本実施形態に係る受信装置２０の機能構成について、図面を参照しながら説明する。
図３は、本発明の第１の実施形態に係る受信装置２０の機能構成を示すブロック図である。図示するように、受信装置２０は、通信部２０１と、記憶部２０２と、制御部２０３と、表示出力部２０４と、生成部２０５と、を含んで構成される。
【００４２】
通信部２０１（第二の通信部）は、無線ＬＡＮｎ２を介して送信装置１０の通信部１０１と通信接続するための通信インターフェースである。
記憶部２０２は、受信装置２０によって行われる各種の処理において用いられるプログラムやデータ等を記憶する。また、記憶部２０２は、受信装置２０によって行われる各種の処理において一時的に使用される一時記憶領域としても用いられる。記憶部２０２は、記憶媒体、例えば、ＨＤＤ、フラッシュメモリ、ＥＥＰＲＯＭ、ＲＡＭ、ＲＯＭ、またはこれらの記憶媒体の任意の組み合わせによって構成される。
【００４３】
また、記憶部２０２は、生成部２０５の後述するＳＳＩＤ生成部２０５１によって生成されたＳＳＩＤ、および、生成部２０５の後述するセキュリティキー生成部２０５２によって生成されたセキュリティキーを記憶する。
【００４４】
制御部２０３は、受信装置２０の各機能ブロックを制御する。制御部２０３は、記憶部２０２に記憶されている制御プログラムや制御データに基づいて、受信装置２０における各種の処理を実行する。制御部２０３は、例えば、ＣＰＵを含んで構成される。
【００４５】
また、制御部２０３（第二の制御部）は、無線ＬＡＮｎ２を介した送信装置１０（外部装置）との通信接続が少なくとも行われていない状態のまま、所定の条件が満たされたときに（例えば、所定の時間（例えば、１時間）が経過したときに）、生成部２０５に新たなＳＳＩＤおよびセキュリティキーを生成させる。そして、制御部２０３（第二の制御部）は、無線ＬＡＮｎ２を介した送信装置１０との通信接続に用いられる無線ＬＡＮ設定（接続設定情報）を新たな無線ＬＡＮ設定に変更する接続設定情報変更処理を実行する。
【００４６】
また、制御部２０３は、送信装置１０（外部装置）から通信部２０１を介して、上述した一時切断通知（所定の通知）を受信（取得）した場合、接続設定情報変更処理を一時停止するモード（接続維持モード）となる（すなわち、上述した所定の条件にかかわらず接続設定情報処理を実行しない）。そして、制御部２０３は、再び、無線ＬＡＮｎ２を介した送信装置１０との通信接続が行われた場合に、再び、接続設定情報変更処理を実行するモード（設定変更モード）に戻る。
【００４７】
表示出力部２０４は、無線ＬＡＮｎ２を介して送信装置１０から受信した映像データを、通信線ｎ２０を介して表示装置２１へ出力する。
生成部２０５は、制御部２０３からの指示に応じて、ＳＳＩＤおよびセキュリティキー（接続設定情報）を生成する。図３に図示するように、生成部２０５は、ＳＳＩＤを生成するＳＳＩＤ生成部２０５１と、セキュリティキーを生成するセキュリティキー生成部２０５２と、を含んで構成される。
【００４８】
なお、送信装置１０は、簡単切り替えモードに移行した際に、当該簡単切り替えモードに移行したことを示す通知を、受信装置２０に対して送信するようにしてもよい。また、この場合において、受信装置２０が、当該通知を受信した際に接続維持モードへ移行するような構成にすることにより、送信装置１０による一時切断通知の送信処理を省略することができる。
【００４９】
なお、接続維持モードは、上記のように接続設定情報変更処理を一時停止するモードではなく、接続設定情報変更処理を設定変更モードの場合と比べて十分長い時間が経過した後に実行する（すなわち、接続設定情報変更処理が実行されるまでの時間を長くする）ようなモードであってもよい。
【００５０】
また、制御部２０３は、通信部２０１を介して、上述した一時切断通知を受信したときに、任意の処理を行うようにしてもよい。例えば、制御部２０３は、一時切断通知を受信したことに応じて、表示装置２１に表示される映像が一時停止されるような処理を行ってもよいし、あるいは、表示装置２１に表示される映像が非表示にされるような処理を行ってもよい。
【００５１】
また、受信装置２０が、複数の送信装置１０からの通信接続を許可している場合、それぞれの送信装置１０と受信装置２０との間の通信接続が全て切断していること基づいて、送信装置１０と受信装置２０との通信接続が切断していると判定される。すなわち、複数の送信装置１０のうち１台でも受信装置２０と通信接続されているならば、送信装置１０と受信装置２０とが通信接続されているものと判定される。
【００５２】
また、受信装置２０に複数の送信装置１０が通信接続する場合において、表示装置２１の画面が、接続されている送信装置１０の台数に応じて複数の画面領域に分割され、分割されたそれぞれの画面領域に、各送信装置１０から送信された映像データに基づく画面をそれぞれ表示させるようにしてもよい。
この場合、１台の送信装置１０が受信装置２０に対して一時切断通知を送信したとしても、上記分割された複数の画面領域の中の当該送信装置１０に対応する画面領域のみに対して処理がなされる。すなわち、送信装置１０ごとに、それぞれ独立して接続設定情報変更処理の一時停止が行われる。
【００５３】
なお、受信装置２０に通信接続する送信装置１０が複数存在する場合において、ある１台の送信装置１０が簡単切り替えモードに移行したとしても、その他の送信装置１０も同様に簡単切り替えモードに移行するわけではなく、送信装置１０の簡単切り替えモードと通常接続モードとの切り替えは、当該送信装置１０ごとに行われる。
また、受信装置２０も、各送信装置１０の動作に応じて、送信装置１０ごとにそれぞれ設定変更モードまたは接続維持モードで動作する。
【００５４】
［送信装置の動作］
以下、本実施形態に係る送信装置１０の動作について、図面を参照しながら説明する。
図４は、本発明の第１の実施形態に係る送信装置１０の動作を示すフローチャートである。本フローチャートは、送信装置１０の通信部１０１が、無線ＬＡＮｎ１およびアクセスポイント３０を介して、既存ネットワークｎ１０へ通信接続した際に開始する。
【００５５】
（ステップＳ００１）送信装置１０の通信部１０１が、既存ネットワークｎ１０へ通信接続中である場合、ステップＳ００２へ進む。そうでない場合（すなわち、送信装置１０による既存ネットワークｎ１０への通信接続が切断されている場合）、本フローチャートの処理が終了する。
【００５６】
（ステップＳ００２）送信装置１０の制御部１０３が、ユーザによる操作入力に基づく入力部１０４からの入力情報により、既存ネットワークｎ１０のアクセスポイントであるアクセスポイント３０への通信接続から、通信線ｎ２０のアクセスポイントである受信装置２０への通信接続への通信接続の切り替え指示を検知した場合、ステップＳ００３へ進む。そうでない場合、ステップＳ００１へ戻る。
【００５７】
（ステップＳ００３）送信装置１０の制御部１０３の接続先切替部１０３１は、既存ネットワークｎ１０のアクセスポイントであるアクセスポイント３０への通信接続から、通信線ｎ２０のアクセスポイントである受信装置２０への通信接続へ通信接続を切り替える。その後、ステップＳ００４へ進む。
【００５８】
（ステップＳ００４）送信装置１０の制御部１０３の書込部１０３２は、通信線ｎ２０のアクセスポイントである受信装置２０への通信接続に用いている無線ＬＡＮ設定（接続設定情報）を記憶部１０２に記憶させる。その後、ステップＳ００５へ進む。
【００５９】
（ステップＳ００５）送信装置１０の通信部１０１が、受信装置２０へ通信接続中である場合、ステップＳ００６へ進む。そうでない場合（すなわち、送信装置１０による受信装置２０への通信接続が切断されている場合）、ステップＳ００１へ戻る。
【００６０】
（ステップＳ００６）送信装置１０の制御部１０３が、ユーザによる操作入力に基づく入力部１０４からの入力情報により、通信線ｎ２０のアクセスポイントである受信装置２０への通信接続から、既存ネットワークｎ１０のアクセスポイントであるアクセスポイント３０への通信接続への通信接続の切り替え指示を検知した場合、ステップＳ００７へ進む。そうでない場合、ステップＳ００５へ戻る。
【００６１】
（ステップＳ００７）送信装置１０の制御部１０３のモード切替部１０３４が、記憶部１０２に記憶された無線ＬＡＮ設定（接続設定情報）を用いて無線ＬＡＮｎ２を介した受信装置２０への通信接続を行うモードである簡単切り替えモードに設定している場合、ステップＳ００８へ進む。そうでない場合、ステップＳ００５へ戻る。
【００６２】
（ステップＳ００８）送信装置１０の制御部１０３の通知部１０３３は、通信部１０１を介して受信装置２０へ一時切断通知を送信する。その後、ステップＳ００９へ進む。
【００６３】
（ステップＳ００９）送信装置１０の制御部１０３の接続先切替部１０３１は、通信線ｎ２０のアクセスポイントである受信装置２０への通信接続から既存ネットワークｎ１０のアクセスポイントであるアクセスポイント３０への通信接続へ通信接続を切り替える。その後、ステップＳ０１０へ進む。
【００６４】
（ステップＳ０１０）送信装置１０の制御部１０３が、ユーザによる操作入力に基づく入力部１０４からの入力情報により、既存ネットワークｎ１０のアクセスポイントであるアクセスポイント３０への通信接続から、通信線ｎ２０のアクセスポイントである受信装置２０への通信接続への通信接続の切り替え指示を検知した場合、ステップＳ０１１へ進む。そうでない場合、ステップＳ０１０に留まる。
【００６５】
（ステップＳ０１１）送信装置１０の制御部１０３の接続先切替部１０３１は、ステップＳ００４において記憶部１０２に記憶させた無線ＬＡＮ設定（接続設定情報）を用いて、記憶部既存ネットワークｎ１０のアクセスポイントであるアクセスポイント３０への通信接続から、通信線ｎ２０のアクセスポイントである受信装置２０への通信接続へ通信接続を切り替える。その後、ステップＳ００５へ戻る。
【００６６】
［受信装置の動作］
以下、本実施形態に係る受信装置２０の動作について、図面を参照しながら説明する。
図５は、本発明の第１の実施形態に係る受信装置２０の動作を示すフローチャートである。本フローチャートは、ユーザにより受信装置２０の電源がオン（ＯＮ）にされる際に開始する。
【００６７】
（ステップＳ１０１）受信装置２０の電源がオンになる。その後、ステップＳ１０２へ進む。
【００６８】
（ステップＳ１０２）受信装置２０の通信部２０１が、無線ＬＡＮｎ２を介した送信装置１０との通信接続の接続待受状態へ移行する。その後、ステップＳ１０３へ進む。
【００６９】
（ステップＳ１０３）受信装置２０の電源がオフにされた場合、本フローチャートの処理が終了する。そうでない場合、ステップＳ１０４へ進む。
【００７０】
（ステップＳ１０４）送信装置１０からの通信接続があった場合、ステップＳ１０５へ進む。そうでない場合、ステップＳ１０９へ進む。
【００７１】
（ステップＳ１０５）受信装置２０が、送信装置１０と通信接続中である場合、ステップＳ１０６へ進む。そうでない場合、ステップＳ１０３へ戻る。
【００７２】
（ステップＳ１０６）受信装置２０の制御部２０３が、通信部２０１を介して、送信装置１０から送信された一時切断通知を受信した場合、ステップＳ１０７へ進む。そうでない場合、ステップＳ１０５へ戻る。
【００７３】
（ステップＳ１０７）受信装置２０の制御部２０３は、設定変更モードから接続維持モードへ変更する。その後、ステップＳ１０８へ進む。
【００７４】
（ステップＳ１０８）送信装置１０から再度、通信接続があった場合、ステップＳ１０５へ戻る。そうでない場合、ステップＳ１０８に留まる。
【００７５】
（ステップＳ１０９）無線ＬＡＮｎ２を介した送信装置１０との通信接続が行われていない状態のまま所定の時間（例えば、１時間）が経過した場合、ステップＳ１１０へ進む。そうでない場合、ステップＳ１０３へ戻る。
【００７６】
（ステップＳ１１０）受信装置２０の制御部２０３は、生成部２０５に新たなＳＳＩＤおよびセキュリティキー（接続設定情報）を生成させ、無線ＬＡＮｎ２を介した通信接続に用いられる接続設定情報を新たな接続設定情報に変更する接続設定情報変更処理を実行する。その後、ステップＳ１０３へ戻る。
【００７７】
なお、図５に図示するように、ステップＳ１０１からステップＳ１０６まで、およびステップＳ１０９からステップＳ１１０までが、上述した設定変更モードにおける受信装置２０の動作である。また、ステップＳ１０７からステップＳ１０８までが、上述した接続維持モードにおける受信装置２０の動作である。
【００７８】
以上、説明したように、簡単切り替えモードに設定されている場合において、本実施形態に係る送信装置１０の制御部１０３の接続先切替部１０３１が既存ネットワークｎ１０のアクセスポイントであるアクセスポイント３０への通信接続から、通信線ｎ２０のアクセスポイントである受信装置２０への通信接続へ通信接続を切り替えた場合、書込部１０３２は、通信線ｎ２０のアクセスポイントである受信装置２０への通信接続に用いた無線ＬＡＮ設定（接続設定情報）を記憶部１０２に記憶させておく。また、接続先切替部１０３１が既存ネットワークｎ１０のアクセスポイントであるアクセスポイント３０へ通信接続を切り替える場合、通知部１０３３は、一時的に受信装置２０への通信接続を切断することを示す一時切断通知を、通信部１０１を介して受信装置２０へ送信する。
【００７９】
また、接続先切替部１０３１は、簡単切り替えモードに設定されている場合において、通信線ｎ２０のアクセスポイントである受信装置２０への通信接続から既存ネットワークｎ１０のアクセスポイントであるアクセスポイント３０への通信接続へ通信接続を切り替える場合、記憶部１０２に記憶された無線ＬＡＮ設定（接続設定情報）を用いて通信線ｎ２０のアクセスポイントである受信装置２０へ通信接続する。
【００８０】
また、受信装置２０の制御部２０３は、通信部２０１を介して、上述した一時切断通知を受信した場合、接続設定情報変更処理を一時停止するモード（接続維持モード）へ移行する。そして、制御部２０３は、再び、無線ＬＡＮｎ２を介した送信装置１０と通信接続が行われた場合に、再び接続設定情報変更処理を実行するモード（設定変更モード）へ移行する。
【００８１】
本実施形態にかかる映像表示システム１の上記の構成により、再度、通信線ｎ２０のアクセスポイントである受信装置２０へ通信接続がなされる際に、ユーザは、無線ＬＡＮ接続設定を再度行う必要がないため、受信装置２０への通信接続と既存ネットワークｎ１０への通信接続との間における通信接続の切り替えを簡単に行うことができる。
【００８２】
＜第２の実施形態＞
以下、本発明の第２の実施形態について説明する。
上述した第１の実施形態では、送信装置１０が、無線ＬＡＮｎ１を介したアクセスポイント３０への通信接続と、無線ＬＡＮｎ２を介した受信装置２０への通信接続との間の通信接続の切り替え処理を、ユーザによる操作入力に基づいて行う構成であった。
一方、以下に説明する第２の実施形態に係る送信装置１０は、ユーザの顔または視線の向きを検出する検出部１１５を備え、当該検出部１１５による検出の検出結果に基づいて、無線ＬＡＮｎ１を介したアクセスポイント３０への通信接続と、無線ＬＡＮｎ２を介した受信装置２０への通信接続との間の通信接続の切り替えを行う。これにより、第２の実施形態においては通信接続の切り替えのための操作入力をユーザが行う必要がなく、自動的に通信接続の切り替えが行われるため、第２の実施形態に係る送信装置１１は、通信接続の切り替えにおけるユーザの作業負荷をより軽減させることができる。
【００８３】
［送信装置の機能構成］
以下、本実施形態に係る送信装置１１の機能構成について、図面を参照しながら説明する。
図６は、本発明の第２の実施形態に係る送信装置１１の機能構成を示すブロック図である。図示するように、送信装置１１（通信装置）は、通信部１０１と、記憶部１０２と、制御部１１３と、入力部１０４と、検出部１１５と、を含んで構成される。
【００８４】
なお、通信部１０１、記憶部１０２、および入力部１０４の各機能ブロックは、上述した第１の実施形態に係る送信装置１０における各機能ブロックと同様の構成であるため、説明を省略する。
【００８５】
制御部１１３は、送信装置１１の各機能ブロックを制御する。制御部１１３は、記憶部１０２に記憶されている制御プログラムや制御データに基づいて、各種の処理を実行する。制御部１１３は、例えば、ＣＰＵを含んで構成される。
また、制御部１１３は、接続先切替部１１３１と、書込部１１３２と、通知部１１３３と、モード切替部１１３４と、を含んで構成される。
【００８６】
接続先切替部１１３１は、既存ネットワークｎ１０のアクセスポイントであるアクセスポイント３０への通信接続と、通信線ｎ２０のアクセスポイントである受信装置２０への通信接続と、の切り替えを行う。
書込部１１３２は、通信部１０１が、通信線ｎ２０のアクセスポイントである受信装置２０への通信接続を行う場合、当該受信装置２０への通信接続における無線ＬＡＮ設定（接続設定情報）を記憶部１０２に書き込む。
【００８７】
通知部１１３３は、簡単切り替えモードに設定されている場合において、通信線ｎ２０のアクセスポイントである受信装置２０から既存ネットワークｎ１０のアクセスポイントであるアクセスポイント３０へ通信接続を切り替える場合、当該受信装置２０に対し、一時的に受信装置２０への通信接続を切断することを示す一時切断通知を、通信部１０１を介して送信する。
【００８８】
また、接続先切替部１１３１は、簡単切り替えモードに設定されている場合において、既存ネットワークｎ１０のアクセスポイントであるアクセスポイント３０から通信線ｎ２０のアクセスポイントである受信装置２０へ通信接続を切り替える場合、記憶部１０２に記憶された無線ＬＡＮ設定（接続設定情報）を用いて当該受信装置２０へ通信接続する。
【００８９】
モード切替部１１３４は、書込部１１３２によって記憶部１０２に書き込まれた無線ＬＡＮ設定（接続設定情報）を用いて通信線ｎ２０のアクセスポイントである受信装置２０へ通信接続させる上記の簡単切り替えモードと、当該受信装置２０において無線ＬＡＮ設定が変更されることに応じて当該変更された後の無線ＬＡＮ設定を用いて当該受信装置２０へ通信接続させる通常接続モードと、を外部からの指示に応じて切り替える。なお、外部からの指示とは、例えば、キーボードやマウスなどによるユーザの操作入力に基づいて入力部１０４から入力される入力情報である。
なお、制御部１０３は、モード切替部１０３４による切り替えに応じたモード（簡単切り替えモード、または通常接続モード）によって通信部１０１に通信接続させる。
【００９０】
また、接続先切替部１１３１は、検出部１１５から出力された検出結果情報が、ユーザの顔または視線が自己の送信装置１１の方向へ向いていることを示す情報である場合には、無線ＬＡＮｎ１を介して既存ネットワークｎ１０のアクセスポイントであるアクセスポイント３０へ通信接続を切り替える。
また、接続先切替部１１３１は、検出部１１５から出力された検出結果情報が、ユーザの顔または視線が自己の送信装置１１の方向へ向いていないことを示す情報である場合には、無線ＬＡＮｎ２を介して通信線ｎ２０のアクセスポイントである受信装置２０へ通信接続を切り替える。
【００９１】
検出部１１５は、ユーザの顔または視線の方向を検出し、検出した結果を示す検出結果情報を制御部１１３へ出力する。
撮像部１１５１は、ユーザの顔などを撮影する。撮像部１１５１は、例えば、カメラを含んで構成される。
画像解析部１１５２は、撮像部１１５１によって撮影された画像を解析することにより、ユーザの顔または視線の向きを検出する。
【００９２】
以上、説明したように、本実施形態に係る映像表示システム１において、送信装置１１は、ユーザの顔や視線の向きに基づいて、自動的に通信接続を切り替える。これにより、本実施形態に係る送信装置１１は、受信装置２０への通信接続と、既存ネットワークｎ１０のアクセスポイントであるアクセスポイントを３０への通信接続との間における通信接続の切り替えを、より簡単に行うことができる。
【００９３】
以上、この発明の実施形態について詳しく説明してきたが、具体的な構成は上述のものに限られることはなく、この発明の要旨を逸脱しない範囲内において様々な設計変更等をすることが可能である。
【００９４】
なお、上述した実施形態における送信装置１０、送信装置１１、および受信装置２０の一部又は全部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
【００９５】
なお、ここでいう「コンピュータシステム」とは、送信装置１０、送信装置１１、および受信装置２０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００９６】
さらに「コンピュータ読み取り可能な記録媒体」とは、インターネット等のネットワークや電話回線等の通信回線を介してプログラムを送信する場合の通信回線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【００９７】
また、上述した実施形態における送信装置１０、送信装置１１、および受信装置２０を、ＬＳＩ（Ｌａｒｇｅ  Ｓｃａｌｅ  Ｉｎｔｅｇｒａｔｉｏｎ）等の集積回路として実現してもよい。送信装置１０、送信装置１１、および受信装置２０の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００９８】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００９９】
１  映像表示システム
１０、１１  送信装置（通信装置）
２０  受信装置
２１  表示装置
３０  アクセスポイント
１０１、２０１  通信部
１０２、２０２  記憶部
１０３、１１３、２０３  制御部
１０４、  入力部
１１５  検出部
２０４  表示出力部
２０５  生成部
１０３１、１１３１  接続先切替部
１０３２、１１３２  書込部
１０３３、１１３３  通知部
１０３４、１１３４  モード切替部
１１５１  撮像部
１１５２  画像解析部
２０５１  ＳＳＩＤ生成部
２０５２  セキュリティキー生成部
【図１】
2018229815.tif 000003
【図２】
2018229815.tif 000004
【図３】
2018229815.tif 000005
【図４】
2018229815.tif 000006
【図５】
2018229815.tif 000007
【図６】
2018229815.tif 000008
【国際調査報告】
2018229815.tif 000009
2018229815.tif 000010
2018229815.tif 000011
2018229815.tif 000012
2018229815.tif 000013
2018229815.tif 000014
2018229815.tif 000015